(57)【要約】【課題】データが消去されたり誤ってフォーマットを行うことのないようユーザに警告できるファイル管理技術を提供すること。【解決手段】ファイル形式でデータを記録する記録媒体を初期化する際に、第１のファイルシステムに対応した第１のファイル管理情報と、第２のファイルシステムに対応した第２のファイル管理情報と、メッセージを表示するメッセージ情報とを記録するようにする。好ましくは、第２のファイル管理情報に、メッセージ情報をファイルとして登録し、また、第１のファイル管理情報に、第２のファイル管理情報とメッセージ情報の記録位置をファイルとして登録する。【選択図】  図１
2005050412.tif 000002
【特許請求の範囲】
【請求項１】
ファイル形式でデータを記録する記録媒体を初期化する記録方法であって、
第１のファイルシステムに対応した第１のファイル管理情報と、第２のファイルシステムに対応した第２のファイル管理情報と、メッセージを表示するメッセージ情報とを記録することを特徴とする記録方法。
【請求項２】
請求項１に記載の記録方法であって、
前記第２のファイル管理情報に、前記メッセージ情報をファイルとして登録することを特徴とする記録方法。
【請求項３】
請求項２に記載の記録方法であって、
前記第１のファイル管理情報に、前記第２のファイル管理情報と上記メッセージ情報の記録位置をファイルとして登録することを特徴とする記録方法。
【請求項４】
ファイル形式でデータを記録する記録媒体を初期化する記録装置であって、
第１のファイルシステムに対応した第１のファイル管理情報と、第２のファイルシステムに対応した第２のファイル管理情報と、メッセージを表示するメッセージ情報とを記録する記録手段を備えていることを特徴とする記録装置。
【請求項５】
請求項４に記載の記録装置であって、
前記記録手段は、前記第２のファイル管理情報に、前記メッセージ情報をファイルとして登録することを特徴とする記録装置。
【請求項６】
請求項５に記載の記録装置であって、
前記記録手段は、前記第１のファイル管理情報に、前記第２のファイル管理情報と上記メッセージ情報の記録位置をファイルとして登録することを特徴とする記録装置。
【請求項７】
記録装置にファイル形式でデータを記録する記録媒体を初期化する制御を行わせるフォーマットプログラムであって、
第１のファイルシステムに対応した第１のファイル管理情報と、第２のファイルシステムに対応した第２のファイル管理情報と、メッセージを表示するメッセージ情報とを記録するように前記記録装置を制御することを特徴とするフォーマットプログラム。
【請求項８】
請求項７に記載のフォーマットプログラムであって、
前記第２のファイル管理情報に、前記メッセージ情報をファイルとして登録することを特徴とするフォーマットプログラム。
【請求項９】
請求項８に記載のフォーマットプログラムであって、
前記第１のファイル管理情報に、前記第２のファイル管理情報と前記メッセージ情報の記録位置をファイルとして登録することを特徴とするフォーマットプログラム。
【請求項１０】
ファイル形式でデータを記録する記録媒体であって、
第１のファイルシステムに対応した第１のファイル管理情報と、第２のファイルシステムに対応した第２のファイル管理情報と、メッセージを表示するメッセージ情報とが記録されていることを特徴とする記録媒体。
【請求項１１】
請求項１０に記載の記録媒体であって、
前記第２のファイル管理情報に、前記メッセージ情報をファイルとして登録されていることを特徴とする記録媒体。
【請求項１２】
請求項１１に記載の記録媒体であって、
前記第１のファイル管理情報に、前記第２のファイル管理情報と上記メッセージ情報の記録位置をファイルとして登録されていることを特徴とする記録媒体。
【発明の詳細な説明】
【０００１】
【発明の属する技術分野】
本発明は、記録媒体に記録されたファイルの管理技術に関するものであり、特に光ディスクや磁気ディスク、半導体メモリなど、ランダムアクセスの可能な記録媒体上に、ファイル形式のデータを記録し再生する際に用いるファイル管理技術に関するものである。
【０００２】
【従来の技術】
光ディスク装置や磁気ディスク装置などでは、記録したデータへのアクセスを容易にするため、データをデータファイルとして記録媒体に記録を行っている。
この際、これらデータファイルを管理するために、ファイル管理システムを用いている。
【０００３】
一般に広く普及している光ディスクとして、ＣＤ−ＲＯＭ（Ｃｏｍｐａｃｔ  Ｄｉｓｃ  −  Ｒｅａｄ  Ｏｎｌｙ  Ｍｅｍｏｒｙ）があげられる。ＣＤ−ＲＯＭでは、ＩＳＯ−９６６０と呼ばれるファイル管理システムが一般的に使用されている。ＩＳＯ−９６６０では、パステーブルと呼ばれるテーブルを使用して、ディレクトリ構造の記述を行っている。
【０００４】
一方、より高密度な光ディスクとして普及しつつあるＤＶＤ（Ｄｉｇｉｔａｌ  Ｖｅｒｓａｔｉｌｅ  Ｄｉｓｃ）には、ＵＤＦ（Ｕｎｉｖｅｒｓａｌ  Ｄｉｓｃ  Ｆｏｒｍａｔ）と呼ばれるファイルシステムが広く用いられている。ＵＤＦでは、ディレクトリごとにファイル識別子とファイルエントリーというテーブルを使用してディレクトリ構造の記述を行っている。
【０００５】
また、ＡＶデータの記録再生用ファイル管理システムとしては、ファイル管理のために、ファイルテーブルなどの独自のデータ管理テーブルを使用している（例えば、特許文献１及び２参照）。
【０００６】
【特許文献１】
特開平１１−３１２３７８号公報
【特許文献２】
特開２００３−１２３３８９号公報
【０００７】
【発明が解決しようとする課題】
従来のファイル管理システムでは、以下のような問題があった。
一般的に、ＰＣ（Ｐｅｒｓｏｎａｌ  Ｃｏｍｐｕｔｅｒ）用途では多機能なＵＤＦが幅広く使用される一方、ＡＶ（Ａｕｄｉｏ  Ｖｉｓｕａｌ）用途では管理が簡単な独自のファイルシステムが使用されることが多い。異なるファイルシステムには互換性がなく、互いにファイルシステムの存在すら認識することができない。
【０００８】
例えば、ＰＣ用途にフォーマットされたディスクを、間違えてＡＶ機器で使用した場合、ＡＶ機器では当該ディスクに記録されているファイル管理情報を認識できない。したがって、ＡＶ機器上では未フォーマットディスクと認識されるので、間違えてフォーマットしてデータを失ったり、データを上書きしてしまう可能性がある。
【０００９】
本発明の目的は、データが消去されたり誤ってフォーマットを行うことのないようユーザに警告できるファイル管理技術を提供することにある。
【００１０】
【課題を解決するための手段】
上記目的を達成するため、本発明では、ファイル形式でデータを記録する記録媒体を初期化する際に、第１のファイルシステムに対応した第１のファイル管理情報と、第２のファイルシステムに対応した第２のファイル管理情報と、メッセージを表示するメッセージ情報とを記録するようにする。
【００１１】
【発明の実施の形態】
以下、本発明の具体的な実施形態について説明する。
図１は、本実施例のフォーマット方法によってフォーマットを行った直後の光ディスク上のファイル管理情報およびファイルの配置を示す模式図である。
【００１２】
光ディスクの記録領域１０１は、所定長さのセクター構造をしており、各セクターは２０４８バイトのデータを記録することができる。また、各セクターには、ディスク中央部分から順番にセクター番号が割り当てられており、このセクター番号によって、アクセスを行うセクターを指定することが出来る。
【００１３】
ここで、第１のアンカー記述子１０２と第１のファイル管理情報１０３は、主にＰＣ用として使用される第１のファイルシステム上で用いられる情報であり、本実施例ではＵＤＦ形式に準ずるものとして説明する。また、第２のアンカー記述子１０４、第２のファイル管理情報１０５、メッセージファイル１０６は、第１のファイル管理システムとは異なる第２のファイルシステム上で用いられる情報であり、ＡＶ機器用として使用されるものとして本実施例では説明する。もちろん、これは一例であり、数々の変形が可能であることは言うまでもない。
【００１４】
第１のアンカー記述子１０２は、第１のファイル管理情報１０３が記録されている記録位置を示している。第１のファイル管理情報１０３の記録位置を変更した場合には、第１のアンカー記述子１０２を書き換えることにより、第１のファイル管理情報１０３の読み出し位置を変更することが出来る。また、第１のアンカー記述子１０２が複数記録されている場合、最後部のアンカー記述子のみを参照するように規定することにより、アンカー記述子記録領域の書き換え回数を減らすことが出来る。また、ライトワンスと呼ばれる追記型記録方式への対応も容易となる。第１のアンカー記述子１０２の書き込み開始セクターは、第１のファイルシステム、本実施例ではＵＤＦ形式のフォーマットで指定されたセクター番号（本実施例では２５６番とする。）である。
【００１５】
第１のファイル管理情報１０３は、光ディスク上に記録されているデータファイルの記録位置やデータサイズ、ファイル識別子（ファイル名）などの情報を管理する領域である。第１のファイル形式に対応した機器では、第１のファイル管理情報１０３を使用して、ファイルの読み出し・書き込みなどの処理を行うことができる。
【００１６】
第２のアンカー記述子１０４は、第２のファイル管理情報１０５が記録されている領域を示しており、第２のファイルシステムのフォーマットで指定されたセクター番号（本実施例では、５１２番とする。）のセクターに記録される。
【００１７】
第２のファイル管理情報１０５は、メッセージファイルのファイル識別子やファイル記録位置に関する情報を有している。ここで、メッセージファイルは、ＤＶＤプレーヤーのようなＡＶ機器で再生を行うことができる第２のファイルシステム上のファイルである。
【００１８】
ここで、第２のアンカー記述子１０４、第２のファイル管理情報１０５、メッセージファイル１０６は、フォーマット時に書き込まれるだけであり、その後書き換える必要はない。
【００１９】
図２は、本実施例のフォーマットにより記録される第１のファイル管理情報１０３の初期状態を示している。また、図３は、本実施例にかかるフォーマット直後の第１のファイル管理情報１０３のファイル構造を示している。
【００２０】
本実施例にかかるフォーマット方法により光ディスクにフォーマットを行うと、図１に示したように、第１のアンカー記述子１０２、第１のファイル管理情報１０３、第２のアンカー記述子１０４、第２のファイル管理情報１０５、メッセージファイル１０６を書き込む。
【００２１】
ここで、ＰＣなどの機器により光ディスクに記録されたすべてのデータファイルのファイルは、第１のファイルシステム上の第１のファイル管理情報１０３により管理することができる。一方、第２のアンカー記述子１０４、第２のファイル管理情報１０５、メッセージファイル１０６はＡＶ機器へのメッセージ表示のためだけに用いられ、ＰＣによる第１のファイルシステム上のファイル管理には使用されない。
【００２２】
しかしながら、第２のアンカー記述子１０４、第２のファイル管理情報１０５、メッセージファイル１０６といったＡＶ機器用のデータが書き込まれていることがＰＣ、すなわち第１のファイルシステム上で認識できないと、誤ってこれらのデータを消去したり、書き換えたりするおそれがある。このようなおそれをなくすために、第２のファイルシステムで用いる情報が書き込まれた領域を第１のファイルシステム上で認識できるように、第１のファイル管理情報１０３中にファイル識別記述子２０４ａ、ファイルエントリー２０５ａを書き込んでおく。これにより、第１のファイル管理情報１０３を使用するＰＣなどの機器は、第２のファイル管理情報１０５の存在を認識することができる。図３に示す第１のファイル構造上では、第２のアンカー情報１０４、第２のファイル管理情報１０５、メッセージファイル１０６の存在は、ａｖｉｎｆｏ．ｓｙｓファイル３０１というファイルが存在することで認識される。
【００２３】
図２に示すファイルセット記述子２０１は、この第１のファイルシステムに関する詳細な情報が記録されており、これにより、第１のファイルシステムの詳細情報を得ることができる。また、ファイルセット記述子２０１には、ルートファイルエントリー２０３の書き込まれているセクター番号が記録されている。第１のファイルシステムを参照する場合、始めにこのファイルセット記述子２０１を参照し、ルートファイルエントリー２０３の書き込み位置を判断する。
【００２４】
終端記述子２０２は、ファイルセット記述子がこれ以上続かないことを意味する記述子である。
【００２５】
ルートのファイルエントリー２０３は、ルートディレクトリを記述したファイルエントリーであり、ルートディレクトリの詳細な情報と、そこに属するファイルのファイル識別記述子の先頭セクター番号を記する。本実施例では、図３に示すように、ルートディレクトリの直下にａｖｉｎｆｏ．ｓｙｓを記録するので、ルートのファイルエントリーは、ａｖｉｎｆｏ．ｓｙｓファイルに対するファイル識別記述子２０４ａのみを指し示す。
【００２６】
ファイル識別記述子２０４ａには、第１のファイルシステム内の各ファイルの名称と、そのファイルのファイルエントリーのセクター番号が記されている。各ディレクトリに対するファイル識別子記録領域には、そのディレクトリに属するファイル数分のファイル識別記述子が記録される。ファイル識別記述子２０４ａは、ａｖｉｎｆｏ．ｓｙｓに関するものであり、“ａｖｉｎｆｏ．ｓｙｓ”というファイル識別子と、対応するファイルエントリー２０５ａのセクター番号が記録されている。
【００２７】
ファイルエントリー２０５ａは、各ファイルの属性、記録開始セクター番号、データ長、記録時刻などの情報を有する。ファイルエントリー２０５ａは、ａｖｉｎｆｏ．ｓｙｓのデータを表しており、これは第２のアンカー記述子１０４、第２のファイル管理情報１０５、メッセージファイル１０６の記録されている領域を示す。
【００２８】
以上のようにして、フォーマット処理時には、第１のファイル管理情報１０３を記録する。これにより、ＰＣなどの機器では、第１のファイル管理情報１０３を解析することにより、光ディスク上に記録されたデータは、図３に示したファイル構造であると認識することができる。
【００２９】
なお、上記実施例では、第２のアンカー情報１０４、第２のファイル管理情報１０５、メッセージファイル１０６の書き込まれている領域を一つのａｖｉｎｆｏ．ｓｙｓというファイルとして扱うこととしたが、それぞれの情報を別々のファイルとして扱うなどの変形も可能である。また、このａｖｉｎｆｏ．ｓｙｓファイルに対して、「書き込み禁止」「システムファイル」「隠しファイル」などの特殊属性を付加しておくことにより、ユーザーが誤って削除を行うことを防止できる。もちろん、ａｖｉｎｆｏ．ｓｙｓのファイル名は任意のものを使用できる。
【００３０】
また、上記実施例では、第２のファイル管理情報１０５に関連した記録領域を使用不能領域として第１のファイルシステム上、具体的にはファイルセット記述し２０１に登録しても同様な効果を得ることができる。
【００３１】
フォーマット処理時には、第１のファイル管理情報１０３とともに、メッセージファイルとそれを管理する第２のファイル管理情報１０５も記録する。
【００３２】
図４は、本実施例にかかるフォーマットによって記録する第２のファイル管理情報１０５の例を示している。
【００３３】
管理情報配置テーブル４０１には、第２のファイル管理情報１０５内の各テーブルの配置情報が記録されている。具体的には、各テーブルの記録開始番号、テーブル番号からの継続テーブルの有無ないし、継続テーブル番号である。この領域配置情報から、各テーブルのテーブル内容を参照することができる。
【００３４】
ファイルテーブル４０２は、図５に示す各ファイルに対応したファイル識別子テーブル番号、ディレクトリ関係を示すリンク情報、ファイルの属性、拡張属性情報テーブルの番号、ファイルタイプ、ファイル生成時刻、ファイル修正時刻などの情報を含む。ファイルテーブルを参照することにより、各ファイルに対応したテーブルの番号を求めることができる。
【００３５】
記録領域テーブル４０３は、図５に示す各ファイルのディスク上の記録位置に関する情報を含む。具体的には、ファイルの記録開始セクター番号、記録開始位置、記録終了セクター番号、記録終了位置の情報が含まれている。ファイルデータの内容を読み出す際には、この記録領域テーブルから、ファイルデータの記録されているセクター番号を求め、データの読み出しを行う。
【００３６】
アロケーションルールセットテーブル４０４は、ディスク上に配置するデータの分割配置に関する情報などを含む。これは、データの読み出しが連続して行われるように、ディスク上にデータを記録する際の最小分割サイズを規定したものである。例えば、４０９６セクター（１セクター２ＫＢ×４０９６＝８ＭＢ）単位で連続してセクターを使用する場合には、パラメータとして４０９６をセットする。
【００３７】
ファイル識別子テーブル４０５は、ファイル識別子の名前とファイル識別子の長さの情報を持つ。一つのファイル識別子テーブルを３２バイトとした場合、ファイル識別子長さに４バイトを割り当てると、ファイル識別子の実体には２８バイトのデータ領域を割り当てることができる。
【００３８】
なお、上記テーブルは、各々３２バイトで構成されるが、記録する領域が不足する場合には、複数のテーブルを使用して、記録するデータ長を増やすことができる。
【００３９】
図５は、メッセージファイル１０６のファイル構造を示している。ルートディレクトリ直下には、ＤＶＲという名称のディレクトリがあり、その下にメッセージファイルを構成する複数のファイルが記録されている。
【００４０】
ｉｎｆｏ．ｄｖｒファイル５０１は、メッセージファイルの再生時に最初に再生されるファイルであり、再生を行うプレイリストファイルのファイル識別子などの情報が含まれる。ｍｅｎｕ．ｔｉｄｘファイル５０２は、メニュー表示の際に使用されるファイルであり、サムネイル画像の数やデータサイズなどの情報を含んでいる。ｍｅｎｕ．ｔｄａｔ５０３ファイルは、メニュー表示時に使用するサムネイル画像のデータが記録されたファイルである。ｍａｒｋ．ｔｉｄｘファイル５０４は、チャプターなどのマーク表示に使用されるファイルであり、マーク位置に対応したサムネイルの画像の数やデータサイズなどの情報を含んでいる。ｍａｒｋ．ｔｄａｔファイル５０５は、マーク表示時に使用するサムネイル画像のデータが記録されたファイルである。
【００４１】
“０１００１．ｒｐｌｓ”ファイル５０６は、プレイリストを示すファイルであり、このファイルに記載されたプレイリストの順番にデータの再生が行われる。ここでは、再生を行うファイルは“０１０００．ｍ２ｔｓ”ファイル５０８のみなので、“０１０００．ｍ２ｔｓ”というファイル識別子と、再生開始時刻、再生終了時刻などの情報が記録される。
【００４２】
“０１０００．ｃｌｐｉ”ファイル５０７は、クリップ情報を示すファイルであり、ストリームファイル“０１０００．ｍ２ｔｓ”中におけるＩピクチャーの記録時刻と、そのパケット番号のリストが記録されている。
【００４３】
“０１０００．ｍ２ｔｓ”ファイル５０８は、ＭＰＥＧ２方式で符号化された映像ならびに音声のデータが所定フォーマットで記録されたものである。
【００４４】
以上のように、第２のファイル管理情報１０５とメッセージファイル１０６を記録しておくことにより、第２のファイルシステムにのみ対応したＤＶＤプレーヤのようなＡＶ機器で、本実施例のフォーマット方法によりフォーマットを行った光ディスクを再生した場合には、メッセージファイルが自動的に再生されるようになり、ファイルデータの誤消去、誤フォーマットを防ぐことができる。
【００４５】
また、第１のファイルシステムによりファイルを管理するＰＣのような機器上では、本実施例にかかるフォーマット方法によってフォーマットを行った光ディスクを、第２のアンカー記述子１０４、第２のファイル管理情報１０５及びメッセージファイル１０６の含まれていないディスクと同様に扱うことができる。
【００４６】
以下、本実施例にかかるフォーマット方法によりフォーマットを行った光ディスクをＡＶ機器で再生する場合の動作を、図６を用いて説明する。
【００４７】
図６は、本実施例のＡＶ機器としての記録再生装置のブロック図である。
ユーザーは、光ディスク６０１を記録再生装置内にセットし、リモコン（図示せず）により再生開始を指示する。リモコンからの信号はリモコン受信部６１２により受信され、システム制御部６１１に再生指令が入力される。システム制御部６１１は、再生指令に従い、再生処理を開始する。以下に、記録再生装置でのメッセージファイル１０６の再生手順を図７に示す。
【００４８】
再生が開始（Ｓ１）されると、まず第２のアンカー記述子１０４の読み出しが行われる（Ｓ２）。ここで、第２のアンカー記述子は、所定のセクター（本実施例では「５１２」番目のセクターとする）に記録されており、記録再生装置は、光ディスク６０１が記録再生装置内にセットされたら、所定のセクターを最初に読むようにプログラムされているので、光ディスク６０１上の上記セクターからデータの読み出しが行われる。
【００４９】
具体的には、システム制御マイコン６１１がドライブ制御マイコン６０６に対し、セクター番号として「５１２」をセットし、データの読み出しを指示する。ドライブ制御マイコン６０６は、指定されたセクターのデータが読み出せるように、サーボ部６０５を制御する。サーボ部６０５は、光ディスク６０１の回転速度を制御するとともに、光ピックアップ６０２の位置を指定されたセクターの位置に移動する。信号処理回路６０３は、光ピックアップ６０２からの信号を再生処理し再生されたデータからセクター番号を検出して、サーボ部６０５にフィードバックする。また、指定されたセクターのデータが読み出された場合、再生信号を復調し、誤り訂正処理や並び替えなどを行い、２０４８バイトのセクターデータとしてデータを準備する。信号処理回路６０３により再生されたセクターデータは、ドライブ制御マイコン６０６を介してシステム制御マイコン６１１に送られる。
【００５０】
上記手順により読み出された第２のアンカー記述子１０４には、第２のファイル管理情報１０５の記録位置などの情報が記録されているので、これを用いて、システム制御マイコン６１１は、第２のファイル管理情報１０５の読み出しを行う。第２のファイル管理情報１０５が読み出されると、光ディスク６０１上には図５に示したような各ファイルが記録されていることが分かるので、これらの情報を用いてメッセージファイル１０６の再生が行われる。
【００５１】
具体的には、まず、“ｉｎｆｏ．ｄｖｒ”ファイル５０１の読み出しが行われる。ここで、“ｉｎｆｏ．ｄｖｒ”ファイルには、プレイリストファイルのファイル識別子が記録されている。ここで、プレイリストファイルは、“０１００１．ｒｐｌｓ”ファイル５０６である。
【００５２】
プレイリストファイル（“０１００１．ｒｐｌｓ”ファイル５０６）には、再生するプレイリストのファイル識別子と再生開始時刻、再生終了時刻が記録されているので、これに基づいてプレイリストの再生を行う。この時、プレイリストを自動的に再生開始するように、いわゆるファーストプレイリストに指定しておけばよい。
【００５３】
次いでプレイリストファイル（“０１００１．ｒｐｌｓ”ファイル）が読み出される。プレイリストファイル５０６には再生を行うファイルとして“０１０００．ｍ２ｔｓ”が指定されているので、このファイルの再生（Ｓ４）が開始される。
【００５４】
具体的には、システム制御部６１１は、上記“ｉｎｆｏ．ｄｖｒ”ファイル５０１および“０１００１．ｒｐｌｓ”５０６ファイルの解析から、再生を行うファイルが“０１０００．ｍ２ｔｓ”ファイル５０８であると判断し、ファイル管理情報から“０１０００．ｍ２ｔｓ”ファイルの記録されている領域を求める。
【００５５】
次に、システム制御マイコン６１１は、求めた領域に対応するセクターからデータの読み出しを行うようにドライブ制御マイコン６０６に対して読み出し指令を送出する。
【００５６】
ドライブ制御マイコン６０６は、サーボ部６０５を制御して光ディスクの回転速度や光ピックアップの位置を制御し、指定されたセクターデータの読み出しを行う。光ピックアップ６０２により読み出された信号は、信号処理回路６０３に入力され、所定の復調処理、誤り訂正処理などが行われ、セクターデータとして準備される。記録されている映像データおよび音声データは、ＭＰＥＧ方式の映像データ圧縮処理によりデータ圧縮されたデータであり、ＭＰＥＧトランスポート方式のパケットデータとして記録されている。各ＭＰＥＧトランスポートパケットは、１８８バイト長であり、このデータに３０ビットの時刻情報を付加して１９２バイト長のパケットデータとして光ディスク６０１上のセクターに記録されている。読み出されたセクターデータは、出力制御部６０４でパケットデータに変換され、時刻情報に応じて出力タイミングが調整された後、音声デコーダ６０７および映像デコーダ６０９に入力される。
【００５７】
音声デコーダ６０７は、再生された音声データパケットから音声を復号し、音声出力端子６０８に出力する。同様に、映像デコーダ６０９は、再生された映像データパケットから映像を復号し、映像出力端子６１０に出力する。出力された音声データ・映像データは、再生装置に接続されたモニターテレビ等のディスプレイ（図示せず）で表示・出力される。
【００５８】
以上のような処理により、本実施例のフォーマット方法によりフォーマット時に記録されたメッセージファイル１０６が再生され、ディスプレイ画面上にメッセージが出力される。
【００５９】
図８は、メッセージファイルを再生した際に表示される画面の一例である。
【００６０】
本実施例のフォーマット方法によりフォーマット時に記録されたメッセージファイル１０６がＡＶ機器により再生されると、図８のように本ディスクはＰＣ用にフォーマットされている旨のメッセージが出力される。
【００６１】
これにより、ユーザーは、ＰＣ用のディスクを誤って再生したことに気づくことができ、誤ってディスクを再フォーマットしてしまったり、データを消してしまうなどの事故を防ぐことができる。
【００６２】
ここで、このメッセージは動画であってもよいし、静止画でもよい。また、音声やグラフィックスなどの情報を用いることもできる。また、メッセージの表示後にディスクを自動的に取り出すように制御を行ってもよい。
【００６３】
また、第２のファイル管理情報１０５において、ディスク上の記録可能領域の情報として、全領域を使用済みと指定しておくことにより、使用可能領域なしと判断させることができ、ＡＶ機器によるデータの上書きを防止することができる。もちろん、ＡＶデータとして使用していない領域をすべてファイルに割り当てておき、使用可能領域なしと判断させてもよい。この時、ファイル属性を「書き込み禁止」「システムファイル」などの特殊な属性にしておくことにより、誤ったファイル削除を防止することができる。
【００６４】
以上のようにして、第１のファイルシステムにより光ディスク上の情報を管理するとともに、第２のファイル管理方法によりＡＶ機器などの第１のファイルシステムに対応しない機器に対して、光ディスクを誤って使用した場合にもデータの保護を行うことができるとともに、ユーザーに対してディスクの誤使用を警告することができる。
【００６５】
メッセージファイルの表示は、ＡＶ機器などの第１のファイル管理情報を認識できない機器で光ディスクを再生する際に行われるが、本実施例にかかるフォーマット自体は、その手順をＰＣとそれに接続された光ディスクドライブを用いて行う。この動作は、ＰＣ上のアプリケーションプログラムとして動作させてもよいし、光ディスクドライブが自動的に行うように構成してもよい。また、予めこのようなフォーマットを行った光ディスクを販売するようにすれば、ユーザによってフォーマットを行わなくてもすぐに使用可能なディスクとなり、使い勝手に優れる。もちろん、ＰＣに限らず、他の機器を用いてフォーマットを行なっても構わない。
【００６６】
図９に、第１のファイル管理情報を用いてデータを読み出す際の制御方法を示す。
【００６７】
第１のファイル管理方法を用いてファイルの読み出しを行う場合（Ｓ１）には、まず第１のアンカー記述子１０２を読み出し、そこに記載されている第１のファイル管理情報記録セクターの情報を得る（Ｓ６）。次に、この情報を用いて、第１のファイル管理情報１０３を読み出す（Ｓ７）。ファイルを読み出すためには、このファイル管理情報の内容を解析し、所望のファイルの記録されている記録領域を判断し、そのセクターの番号にしたがって、データの読み出しを行えばよい（Ｓ８）。
【００６８】
以上のような手順により、第１のファイル管理方法を用いてファイルの読み出しを行うことができる。
【００６９】
続いて、第１のファイル管理情報１０３を用いてファイルの追加を行う場合の操作を説明する。
【００７０】
図１０は、本実施例にかかるフォーマット方法を用いてフォーマットを行った光ディスクに３つのファイルを追加した場合のファイル構造を示している。これは、フォーマット後に、ｆｉｌｅ１、ｆｉｌｅ２、ｆｉｌｅ３を順番に追加したものである。
【００７１】
図１１は、図１０に対応したファイルの光ディスク上の配置を示す。図１１では、フォーマット直後の図１のファイル配置に対し、ファイル１、ファイル２、ファイル３が追加されている。この時、第２のアンカー記述子１０４、第２のファイル管理情報１０５、メッセージファイル１０６は、一切変更しない。
【００７２】
図１２は、図１０に対応した第１のファイル管理情報１０３の詳細を示す。
追加されたｆｉｌｅ１、ｆｉｌｅ２、ｆｉｌｅ３のそれぞれに対応したファイル識別子２０４ｂ、２０４ｃ、２０４ｄと、ファイルエントリー２０５ｂ、２０５ｃ、２０５ｄが追加されている。
【００７３】
これらの処理は、第１のファイルシステムのみを用いてファイルの追加を行った場合と同様であり、第２のファイルシステムが存在していても、何ら動作に影響を与えることはない。
【００７４】
以上のように、本実施例によれば、第１のファイルシステムを用いてフォーマットを行う際に、第２のファイル管理情報とメッセージ情報を同時に記録することで、第１のファイルシステムを用いてファイル管理を行うことができる。さらに、第２のファイルシステムにのみ対応した機器に対しても、不適合なディスクである旨の警告を行うことができる。つまり、ＰＣ用にフォーマットした光ディスクを誤ってＡＶ機器で再生した場合でも、データが消去されたり再フォーマットされたりする恐れがない。また、ユーザーに不適合なディスクであることを通知するので、ユーザーはなぜ使用できないのかが容易に分かり混乱することがない。
【００７５】
以上、本発明のフォーマット方法を用いてフォーマットを行う方法と、フォーマットされた記録媒体、記録装置について説明した。上記実施例では、光ディスクを例に挙げて説明したが、これは限定されるものではなく、ファイル形式でデータを記録する記録媒体であれば、応用可能である。例えば、磁気記録媒体や半導体メモリカードなどである。
【００７６】
最後に、本実施例にかかるフォーマット形式でフォーマットを行う記録装置について説明する。
【００７７】
図１３に、本実施例にかかるフォーマットを行う記録装置のブロック図を示す。
【００７８】
図６と同じ符号が付されているブロックは上述の機能と同様の機能を有するので説明を割愛する。図１３中、６１３はインターフェース部、６１４は入出力端子である。
ＢＤドライブ装置は、インターフェース部および入出力端子６１４を介してＰＣと接続される。ここで、ＰＣと接続するインターフェースは、例えば、ＡＴＡＰＩやＵＳＢといったインターフェースを使用することができる。
ここで、フォーマットされていない新しい光ディスクを記録装置にセットした場合の動作を以下に説明する。
【００７９】
記録装置に新しい光ディスク６０１をセットすると、ドライブ制御マイコン６０６は、サーボ部６０５を制御し、第１のアンカー記述子が記録されている所定のセクターのデータを再生する。ここで、アンカー情報が記録されているセクターを第２５６番のセクターとして説明する。
【００８０】
光ディスク６０１がフォーマットされていない新しい光ディスクの場合は、２５６番のセクターにアンカー記述子が記録されていないので、このセクターの情報を読み出し、アンカー記述子が記録されているかどうかを判別することで、ディスクがフォーマットされているか否かを判断することができる。
【００８１】
ドライブ制御マイコン６０６は、未フォーマットのディスクがセットされていると判断すると、フォーマット動作を開始する。具体的には、図１に示した第１のアンカー記述子１０２、第１のファイル管理情報１０３、第２のアンカー記述子１０４、第２のファイル管理情報１０５及びメッセージファイル１０６を、図３及び図５に示したファイル構造を持ったデータとしてドライブ制御マイコン６０６が生成し、生成したデータを信号処理回路６０３で光ディスク上に記録できるデータに変換して、変換したデータを光ピックアップ６０２を用いて光ディスク６０１に書き込む。
【００８２】
なお、上記フォーマット動作を行っている間、インターフェース６１３を介して受信したＰＣ側からの他の要求に対しては、インターフェース、端子６１４を介してＢＵＳＹを返し、フォーマット中であることを応答する。
【００８３】
フォーマット動作が完了すると、フォーマットした光ディスク６０１は使用可能となり、ＰＣ側からの要求に応じて光ディスク６０１へのデータ書き込みならびにデータの読み出しを行う。
【００８４】
以上のように、本フォーマット方式に対応した記録装置を用いて、光ディスク６０１のフォーマット動作を行うことができる。フォーマットされた光ディスク６０１は、図１に示したようなファイルが記録されており、ＡＶ機器へセットして再生を行った場合には、メッセージが再生されるので、誤ってデータを消去したりフォーマットを行ってしまう恐れがない。
【００８５】
なお、上記のフォーマット動作では、記録装置がＰＣからの要求を受けずに自動的にフォーマット動作を行うように説明した。これは、記録装置内のドライブ制御マイコン６０６に組み込まれているソフトウェアの動作により行われるものである。
【００８６】
しかしながら、フォーマット動作は、記録装置によって自動的に行なうように限定する必要はない。例えば、ＰＣ側のソフトウェアにより、記録装置に未フォーマットのディスクがセットされたことを判断し、フォーマット動作を行うように制御してもよい。この場合、フォーマット動作を行う主体はＰＣ側のソフトウェアであり、記録装置のソフトウェアにフォーマット動作を組み込む必要はない。また、フォーマット動作をＡＶ機器や専用の機器で行うことも可能である。
【００８７】
【発明の効果】
本発明によれば、データが消去されたり誤ってフォーマットを行うことのないようユーザーに警告できる。
【図面の簡単な説明】
【図１】図１は、本実施例にかかるフォーマット直後の光ディスク上のファイル管理情報およびファイルの配置を示す模式図である。
【図２】図２は、本実施例にかかるフォーマット直後の第１のファイル管理情報１０３を構成する各ファイルの配置を示す模式図である。
【図３】図３は、本実施例にかかるフォーマット直後の第１のファイルシステムのファイル構造を示す図である。
【図４】図４は、本実施例にかかるフォーマットによって記録される第２のファイル管理情報１０５の例を示す図である。
【図５】図５は、図５は、メッセージファイル１０６のファイル構造を示す図である。
【図６】図６は、本実施例のＡＶ機器としての記録再生装置のブロック図である。
【図７】図７は、記録再生装置でのメッセージファイル１０６の再生手順を示す図である。
【図８】図８は、メッセージファイルを再生した際に表示される表示画面の一例を示す図である。
【図９】図９は、第１のファイル管理情報１０３を用いてデータを読み出す際の制御方法を示す図である。
【図１０】図１０は、本実施例にかかるフォーマット方法を用いてフォーマットを行った光ディスクに３つのファイルを追加した場合のファイル構造を示す図である。
【図１１】図１１は、図１０に対応したファイルの光ディスク上の配置を示す図である。
【図１２】図１２は、図１０に対応した第１のファイル管理情報１０３の詳細を示す図である。
【図１３】図１３は、本実施例にかかるフォーマットを行う記録装置のブロック図である。
【符号の説明】
１０２…第１のアンカー記述子、１０３…第１のファイル管理情報、１０４…第２のアンカー記述子、１０５…第２のファイル管理情報、１０６…メッセージファイル、６０１…光ディスク、６０２…光ピックアップ、６０３…再生信号処理回路、６０４…出力制御部、６０５…サーボ、６０６…ドライブ制御マイコン、６１１…システム制御マイコン、６１２…リモコン受信部。
【図１】
2005050412.tif 000003
【図２】
2005050412.tif 000004
【図３】
2005050412.tif 000005
【図４】
2005050412.tif 000006
【図５】
2005050412.tif 000007
【図６】
2005050412.tif 000008
【図７】
2005050412.tif 000009
【図８】
2005050412.tif 000010
【図９】
2005050412.tif 000011
【図１０】
2005050412.tif 000012
【図１１】
2005050412.tif 000013
【図１２】
2005050412.tif 000014
【図１３】
2005050412.tif 000015